(57)【要約】【課題】  フェライトコアをモールド等のカバーを不要にすることで小型化，軽量化及び低コスト化が図れ、かつ狭いスペースでも使用できるようにした電磁波除去コア及びその結合方法を得る。【解決手段】  半円筒状に二分割された一対のフェライトコア１，２をそれぞれの分割面である接合面３，４が合体されて円筒状に構成され、フェライトコア１，２をハーネス８に合着することで該ハーネス８に発生する電磁波を除去するようにした電磁波除去コアであって、一対のフェライトコア１，２は、それぞれの接合面３，４に互いに位置ずれしないように係合し合う係合部５，６を有し、ハーネス８に合着されたフェライトコア１，２を絶縁粘着シート部材７で包むように巻き付けて結合することを特徴とする。【選択図】  図３
2005223212.tif 000002
【特許請求の範囲】
【請求項１】
半円筒状に二分割された一対のフェライトコア部材をそれぞれの分割面である接合面が合体されて筒状に構成され、上記フェライトコア部材をケーブルに合着することで該ケーブルに発生する電磁波を除去するようにした電磁波除去コアであって、
上記一対のフェライトコア部材は、それぞれの接合面に互いに位置ずれしないように係合し合う係合部を有し、
ケーブルに合着された上記フェライトコア部材を絶縁粘着部材で包むように巻き付けて結合することを特徴とする電磁波除去コア。
【請求項２】
上記絶縁粘着部材は上記フェライトコア部材の結合と共に、該フェライトコア部材から引き出されているケーブルの一部に亘って包むようにしたことを特徴とする請求項１に記載の電磁波除去コア。
【請求項３】
上記絶縁粘着部材は、絶縁粘着テープであることを特徴とする請求項１に記載の電磁波除去コア。
【請求項４】
上記絶縁粘着部材は、絶縁粘着バンドであることを特徴とする請求項１に記載の電磁波除去コア。
【請求項５】
半円筒状に二分割された一対のフェライトコア部材をそれぞれの分割面である接合面が合体されて筒状に構成され、フェライトコア部材をケーブルに合着することで該ケーブルに発生する電磁波を除去するようにした電磁波除去コアの結合方法であって、
上記一対のフェライトコア部材は、それぞれの接合面に設けた係合部を係合し互いに位置ずれしないようにケーブルに合着し、
ケーブルに合着された上記フェライトコア部材を絶縁粘着部材で包むように巻き付けて結合することを特徴とする電磁波除去コアの結合方法。
【請求項６】
上記絶縁粘着部材は上記フェライトコア部材の結合と共に、該フェライトコア部材から引き出されているケーブルの一部に亘って包むようにしたことを特徴とする請求項５に記載の電磁波除去コアの結合方法。
【請求項７】
上記絶縁粘着部材は、絶縁粘着テープを用いたことを特徴とする請求項５に記載の電磁波除去コアの結合方法。
【請求項８】
上記絶縁粘着部材は、絶縁粘着バンドを用いたことを特徴とする請求項５に記載の電磁波除去コアの結合方法。
【発明の詳細な説明】
【技術分野】
【０００１】
本発明は、ケーブルを伝送される信号に発生する電磁波（高周波ノイズ）を除去するために、二分割された一対の半円筒状のフェライトコアでケーブルを合着し電磁波を除去する構成の電磁波除去コア及びその結合方法に関する。
【背景技術】
【０００２】
従来、テレビジョン等の電子・電気機器においては電子機器内から発生する電磁波を外部へ発生させないために電磁波シールド等の対策を施すことが必要がある。また、ケーブルを伝送される信号に発生する電磁波を除去するための方法として、ケーブルに二分割された一対の半円筒状のフェライトコアを合着することにより、電磁波発生の要因である高周波ノイズを除去することができる技術が一般に広く行われている。
【０００３】
半円筒状のフェライトコアを使用して電磁波を除去するための従来技術は、半円筒状のフェライトコアをプラスチック材からなるカバーでモールドされたものが多く提案されている。（例えば、特許文献１参照）。
【０００４】
ここで、上述した特許文献１の図８に記載の技術を図８について説明すると、プラスチック材からなる一対の半円筒容器状のカバー２１，２２は可撓性を有する連結片２３によって互いの一側辺が連結され、一対の半円筒容器状のカバー２１，２２内にはそれぞれ半円筒状をしたフェライトコア２４，２５が収容される。なお、フェライトコア２４，２５は特許文献１の技術ではカバー２１，２２に嵌め込まれて収容されたものであるが、フェライトコアの外側をモールドタイプのカバーで一体に覆うようにした技術も一般に広く提案されている。
【０００５】
半円筒容器状のカバー２１，２２は、連結片２３を折り曲げながらカバー２１，２２の開口部を合わせ閉じることにより、フェライトコア２４，２５はそれぞれの分割面が互いに接合され円筒形状となる。この際、フェライトコア２４，２５間に例えば、多数の信号線を束ねたケーブルを挟み込むことにより、フェライトコアによる高周波に対するインピーダンス特性によってケーブルに生じるノイズを減衰ないし除去することが可能となる。
【特許文献１】特開平１１−１５０３８９号公報
【発明の開示】
【発明が解決しようとする課題】
【０００６】
しかしながら、フェライトコア２４，２５はカバー２１，２２でモールド等された構成であるため、以下に記載するような問題がある。
ａ、フェライトコア２４，２５とは別に、カバー２１，２２が必要となり、その分、コスト高となる。
ｂ、カバー２１，２２を成形するための金型も必要となり、金型費用がかかる。
ｃ、フェライトコアにカバーをモールド成形する場合、極めて高価となる。
ｄ、同じ特性のフェライトコアを考慮した場合、カバーで覆われた分、外径が大きくなり、このため機器への取り付けスペースが制約される。
【０００７】
本発明は、かかる問題に鑑み、フェライトコアをモールド等するカバーを不要にすることで低コスト化が図れ、安価な部材でフェライトコアの結合が行えると共に、小型化及び軽量化が図れ、かつ狭いスペースでも使用できるようにした電磁波除去コア及びその結合方法を得ることを目的とするものである。
【課題を解決するための手段】
【０００８】
上記の課題を解決し、本発明の目的を達成するため、本発明による請求項１に記載の電磁波除去コアは、一対のフェライトコア部材はそれぞれの接合面に互いに位置ずれしないように係合し合う係合部を有し、ケーブルに合着されたフェライトコア部材を絶縁粘着部材で包むように巻き付けて結合することを特徴とする。
【０００９】
また、本発明による請求項５に記載の電磁波除去コアの結合方法は、一対のフェライトコア部材はそれぞれの接合面に設けた係合部を係合し互いに位置ずれしないようにケーブルに合着し、ケーブルに合着されたフェライトコア部材を絶縁粘着部材で包むように巻き付けて結合することを特徴とする。
【発明の効果】
【００１０】
本発明の電磁波除去コア及びその結合方法によれば、フェライトコアをモールド等するようなカバーが不要となり、安価な絶縁粘着部材でフェライトコアの結合を可能にすることができるので低コストにできる。また、カバーが不要となることでその分、外径が小さくてすみ小型化及び軽量化が図れ狭いスペースでの使用が可能となる。
【発明を実施するための最良の形態】
【００１１】
以下、本発明による電磁波除去コア及びその結合方法の最良の形態を、図面を参照して説明する。
図１は半円筒状の一対のフェライトコアを分離した状態の斜視図、図２は同じくフェライトコアを円筒体に結合した状態の斜視図と絶縁粘着シートとの斜視図、図３はフェライトコアと絶縁粘着シートにより多数の信号線を束ねたケーブル（以下、ハーネスという）に取り付けた使用状態の斜視図である。
【００１２】
符号１，２が二分割されて半円筒状に成形された一対のフェライト製のコア（以下、フェライトコアという）である。両フェライトコア１，２には接合面３，３、４，４を有し、また、両フェライトコア１，２のコア内空部１ａ，２ａは、該フェライトコア１，２が円筒形状に合体されたときに後述するハーネスが挿通される筒孔となる。
【００１３】
一方のフェライトコア１の接合面３，３は筒方向の外周側に高く、内周側に低くされた段状の係合部５，５を備え、他方のフェライトコア２の接合面４，４は筒方向の外周側に低く、内周側に高くされた段状の係合部６，６を備えている。
【００１４】
上述した両フェライトコア１，２は、それぞれの接合面３と接合面４とを接合することにより係合部５と係合部６とが互いに係合し合い、両フェライトコア１，２とで円筒体に結合することができる。また、円筒体に結合された両フェライトコア１，２は係合部５と係合部６との係合により円筒体の筒径方向にはずれることはない。
【００１５】
なお、フェライトコア１，２の接合面の係合部は上述した構成に限ることなく、一方のフェライトコア１の接合面３，３は筒方向の外周側に低く、内周側に高くされた段状の係合部を備え、他方のフェライトコア２の接合面４，４は筒方向の外周側に高く、内周側に低くされた段状の係合部を備えることであってもよく、あるいはその他の形状であってもよい。
【００１６】
符号７は円筒体に合体された両フェライトコア１，２を結合するための絶縁粘着シート部材である。このシート部材７は柔軟性があり樹脂材からなるフィルムやテープ等の一面に粘着剤を施したものである。また、絶縁粘着シート部材７は通常の絶縁性の接着テープであってもよい。
【００１７】
上述した絶縁粘着シート部材７を用いてハーネス８に半円筒状のフェライトコア１，２を合着（結合）したものが図３である。
【００１８】
ハーネス８は多数の細い信号線８ａを束ねたケーブルであって、ハーネス８の両端の各信号線８ａがコネクタ９ａ，９ｂに接続されている。両コネクタ９ａ，９ｂは図示しない２つの電子機器に接続されて信号の授受が行われる。
【００１９】
上記したハーネス８にフェライトコア１，２を合着する方法は次のように行われる。
フェライトコア１，２は２つに分割した状態にしてハーネス８がコア内空部１ａ，２ａ内に収まるようにしながら、両係合面５，６を互いに係合しフェライトコア１，２を円筒状に合体する。これにより、ハーネス８はフェライトコア１，２の円筒状となったコア内空部１ａ，２ａの孔内に挿通された状態となる。
【００２０】
そして、円筒形状となったフェライトコア１，２を合体した状態を保持し、フェライトコア１，２の外側から絶縁粘着シート部材７で包むようにし、巻き付けることによってフェライトコア１，２の合着が完了する。この合着状態を拡大して示したのが図４である。
【００２１】
なお、フェライトコア１，２を絶縁粘着シート部材７で結合した後は、図４に示すようにコアが結合された左右のハーネス８の部分を絶縁粘着シート部材７と同じテープ１０ａ，１０ｂ又は束線用結束バンドで結束することにより、信号線８ａ，８ｂがばら付くこともない。
【００２２】
このように構成した電磁波除去コアは、フェライトコア１，２自体に絶縁粘着シート部材７を巻き付けるだけでよく、フェライトコア１，２の筒径方向のずれは係合面５，６の係合によって無くすことができ、また、フェライトコア１，２の筒方向のずれは巻き付けられたテープ１０ａ，１０ｂ又は束線用結束バンドによって無くすことができ、フェライトコア１，２を確実、かつ安定した結合が行える。
【００２３】
絶縁粘着シート部材７を使用することにより、巻き方及び巻き量は必要に応じて適宜調整可能となるものである。例えば、フェライトコアが他の電子機器と電気的に接触する可能性がある場合には、フェライトコア１，２の全体を絶縁粘着シート部材７で所定の巻き量を巻いて覆うことによって解消できる。一方、フェライトコアが他の電子機器と電気的に接触する可能性がない場合には、フェライトコア１，２を必要最低限だけ絶縁粘着シート部材７で巻いて押さえるだけで充分である。
【００２４】
また、コアへの巻き方の別の実施の形態として図５に示すように、フェライトコア１，２と共に該コアから引き出されているハーネス８の部分に亘って絶縁粘着シート部材１１で覆うようにしてもよい。この場合、絶縁粘着シート部材１１は幅の広い粘着シート部材を使用し、フェライトコア１，２を絶縁粘着シート部材１１で巻くと同時にハーネス８の部分も絶縁粘着シート部材１１ａの部分でくるむように一緒に巻くというものである。
【００２５】
このような巻き方をすることによって、ハーネス８とコア内空部１ａ，２ａとの間に隙間に生じたとしても、絶縁粘着シート部材１１によって固定されるフェライトコア１，２と共にハーネス８も絶縁粘着シート部材１１ａによって一体に固定でき、これによって、フェライトコア１，２の位置が「ずるずる」と位置ずれすることもなく、決められた位置に固定することができ、信頼性が向上する。また、ハーネス８の部分も一緒に巻くことによって、絶縁粘着シート部材１１が信号線８ａ，８ｂの結束を兼ねることになるので、図４で示したようなテープ１０ａ，１０ｂ又は束線用結束バンドは不要となる。
【００２６】
以上のように本発明の電磁波除去コアは、フェライトコア１，２自体に絶縁粘着シート部材を巻き付けてハーネス８への取り付けを可能にするというものであり、例えば、フェライトコアが同一外径（特性）のものを使用した従来のモールドタイプと本発明とを比較した場合、図６に示したモールドタイプは直径ｄ1が２２ｍｍであるのに対して、絶縁粘着シート部材を使用した本発明は直径ｄが１７ｍｍとなり、小型化，軽量化でありながらモールドタイプと同じ特性を確保することができる。
【００２７】
また、小型化が図れることから取り付けスペースが少なくてすみ、狭い場所でも使用が可能となる。また、プラスチック材によるモールドタイプに代えて絶縁粘着シート部材でよいので、電磁波除去コアのコストダウンを図ることができる。さらに、本発明の電磁波除去コアは全ての電子機器に使用可能である。
【図面の簡単な説明】
【００２８】
【図１】本発明による半円筒形状のフェライトコアを分離した斜視図である。
【図２】同じくフェライトコアを円筒形状に合体した斜視図である。
【図３】同じくフェライトコアをハーネスに結合した全体の外観斜視図である。
【図４】フェライトコアのみを絶縁粘着シート部材で固定した拡大正面図である。
【図５】フェライトコアとハーネスを共に絶縁粘着シート部材で固定した拡大正面図である。
【図６】従来のモールドタイプのコア外径を示した側面図である。
【図７】本発明の絶縁粘着シートの場合のコア外径の側面図である。
【図８】従来のモールドタイプを示した斜視図である。
【符号の説明】
【００２９】
１，２…フェライトコア、１ａ，２ａ…内空部、３，４…接合面、５，６…係合部、７，１１…絶縁粘着シート部材、８…ハーネス、８ａ…信号線、９ａ，９ｂ…コネクタ、１０ａ，１０ｂ…テープ
【図１】
2005223212.tif 000003
【図２】
2005223212.tif 000004
【図３】
2005223212.tif 000005
【図４】
2005223212.tif 000006
【図５】
2005223212.tif 000007
【図６】
2005223212.tif 000008
【図７】
2005223212.tif 000009
【図８】
2005223212.tif 000010